(57)【要約】【課題】音を発生し或いは受信する音響部を具備する携帯電子機器において、音響部と音の出入り口となるパネル開口穴を含む配置寸法を小さくし、かつ簡易な構造にて、パネル開口穴からの静電気放電を効果的に防止すること。【解決手段】レシーバ、スピーカ、ブザー、マイクロフォンなど音を発生し或いは受信する音響部音の出入り口となるパネル開口穴を具備する。この携帯電子機器において、パネル開口穴部分を含むパネル部分と音響部との間にフィルム開口穴を有する絶縁フィルムを介在させるとともに、フィルム開口穴は、パネル開口穴とパネル部分に関して水平方向に離隔して設ける。【選択図】      図２
2005354596.tif 000002
【特許請求の範囲】
【請求項１】
筐体の内部に音響部を配置し、前記音響部と外部との間で音を通すように前記音響部の面積より小さい面積の少なくとも１つのパネル開口穴を前記筐体のパネルに設けている携帯電子機器において、
前記パネルの前記パネル開口穴を含むパネル部分と前記音響部との間に少なくとも１つの絶縁薄膜開口穴を有する絶縁薄膜を介在させ、
前記絶縁薄膜開口穴は、前記パネル開口穴と前記パネル部分に関して水平方向に離隔して設けられていることを特徴とする、携帯電子機器。
【請求項２】
前記絶縁薄膜開口穴の面積は、前記パネル開口穴の面積より大きくされていることを特徴とする、請求項１の携帯電子機器。
【請求項３】
前記絶縁薄膜開口穴は、前記パネル開口穴から最も遠くなる位置の近傍に設けられていることを特徴とする、請求項１の携帯電子機器。
【請求項４】
前記音響部と前記絶縁薄膜との間及び前記絶縁薄膜と前記パネル部分との間にそれぞれ所定の間隔を設けて、共鳴空間を形成することを特徴とする、請求項１乃至３のいずれかに記載の携帯電子機器。
【請求項５】
前記パネル部分の少なくとも中央部分の肉厚を、前記パネル部分の周囲部分の肉厚より薄くして前記絶縁薄膜と前記パネル部分との間の所定間隔を形成していることを特徴とする、請求項４に記載の携帯電子機器。
【請求項６】
前記音響部と前記絶縁薄膜との間にクッション部材を介在させて前記所定間隔を設けることを特徴とする、請求項４または５に記載の携帯電子機器。
【請求項７】
前記絶縁薄膜は、合成樹脂フィルムであることを特徴とする、請求項１乃至６のいずれかに記載の携帯電子機器。
【請求項８】
前記絶縁薄膜は、前記パネルと同じ材質の材料にて形成されていることを特徴とする、請求項１乃至６のいずれかに記載の携帯電子機器。
【発明の詳細な説明】
【技術分野】
【０００１】
本発明は、レシーバ、スピーカなど音を発生し或いは受信する音響部を具備する携帯電子機器に関する。
【背景技術】
【０００２】
携帯電話機、ＰＨＳ、ＰＤＡ等のように、レシーバやスピーカなど音響部を持った携帯電子機器が広く普及している。これらの携帯電子機器は、液晶表示器、デジタル電子回路、通信回路などを備えており、また音の出入り口であるパネル開口穴を有している。このパネル開口穴から静電気が飛び込むと、静電気放電によってデジタル電子回路などが誤動作したり、故障の原因となる。
【０００３】
図１は、一般的な折り畳み型の携帯電話機１００を開いた状態でその外観構造の一部を示す図である。
【０００４】
図１において、レシーバ２０は携帯電話機１００の内部に設けられており、破線で示されている。携帯電話機１００の表面部には、内部のレシーバ２０（この例では円形）との間で音の通路を確保するために表面パネル１０にパネル開口穴１１を設けている。このパネル開口穴１１を通して携帯電話機１００の内部のレシーバ２０と外部との間で音が伝達される。なお、１２、１３は外観上の体裁を整えるための盲穴である。
【０００５】
この図１のパネル開口穴１１、レシーバ２０を通る、従来の携帯電話機１００のＡ−Ａ断面が図４に示されている。図１において、パネル１０の裏面にレシーバ２０を挿入できるような壁１４を設け、その壁１４の内側にクッション部材３０を介してレシーバ２０が設けられている。
【０００６】
携帯電話機１００の使用者からの静電気がパネル開口穴１１から内部に飛び込むと、レシーバライン、例えばレシーバ２０、取り付けばね、基板、各種電子部品など、を介して静電気による電流が電子部品などに流れてしまう。このような静電気放電を防止するためには、パネル開口穴１１とレシーバ２０との間隔を大きくすればよいが、携帯電話機１００を薄型にする場合には、その間隔を大きくすることは制限されてしまう。
【０００７】
このような問題を解決する手段として、表面パネルの裏面にパネル開口穴とブザー開口穴とを隔てる絶縁リブを立設したり、ブザーをパネル開口穴と水平方向にずらせて配置するなどして、パネル開口穴とブザー開口穴との間の距離を長くすることが提案されている（特許文献１参照）。
【特許文献１】特開平１１−２２４７９２号公報
【発明の開示】
【発明が解決しようとする課題】
【０００８】
しかしながら、特許文献１のように、パネル開口穴とブザー開口穴とを隔てる絶縁リブを立設することは表面パネルを含む筐体構造が複雑になり加工上の問題もあり、またブザーのブザー開口穴の位置によっては適用が困難になる。また、ブザーをパネル開口穴と水平方向にずらせて配置する場合には、配置寸法が大きくなってしまうという問題がある。
【０００９】
したがって、本発明は、レシーバ、スピーカなど音を発生し或いは受信する音響部を具備する携帯電子機器において、音響部と音の出入り口となるパネル開口穴を含む配置寸法を小さくし、かつ簡易な構造にて、パネル開口穴からの静電気放電を効果的に防止できる携帯電子機器を提供することを目的とする。
【課題を解決するための手段】
【００１０】
請求項１の携帯電子機器は、筐体の内部に音響部を配置し、前記音響部と外部との間で音を通すように前記音響部の面積より小さい面積の少なくとも１つのパネル開口穴を前記筐体のパネルに設けている携帯電子機器において、
前記パネルの前記パネル開口穴を含むパネル部分と前記音響部との間に少なくとも１つの絶縁薄膜開口穴を有する絶縁薄膜を介在させ、
前記絶縁薄膜開口穴は、前記パネル開口穴と前記パネル部分に関して水平方向に離隔して設けられていることを特徴とする。
【００１１】
請求項２の携帯電子機器は、請求項１の携帯電子機器において、前記絶縁薄膜開口穴の面積は、前記パネル開口穴の面積より大きくされていることを特徴とする。
【００１２】
請求項３の携帯電子機器は、請求項１の携帯電子機器において、前記絶縁薄膜開口穴は、前記パネル開口穴から最も遠くなる位置の近傍に設けられていることを特徴とする。
【００１３】
請求項４の携帯電子機器は、請求項１乃至３のいずれかに記載の携帯電子機器において、前記音響部と前記絶縁薄膜との間及び前記絶縁薄膜と前記パネル部分との間にそれぞれ所定の間隔を設けて、共鳴空間を形成することを特徴とする。
【００１４】
請求項５の携帯電子機器は、請求項４に記載の携帯電子機器において、前記パネル部分の少なくとも中央部分の肉厚を、前記パネル部分の周囲部分の肉厚より薄くして前記絶縁薄膜と前記パネル部分との間の所定間隔を形成していることを特徴とする。
【００１５】
請求項６の携帯電子機器は、請求項４または５に記載の携帯電子機器において、前記音響部と前記絶縁薄膜との間にクッション部材を介在させて前記所定間隔を設けることを特徴とする。
【００１６】
請求項７の携帯電子機器は、請求項１乃至６のいずれかに記載の携帯電子機器において、前記絶縁薄膜は、合成樹脂フィルムであることを特徴とする。
【００１７】
請求項８の携帯電子機器は、請求項１乃至６のいずれかに記載の携帯電子機器において、前記絶縁薄膜は、前記パネルと同じ材質の材料にて形成されていることを特徴とする。
【発明の効果】
【００１８】
本発明の携帯電子機器によれば、レシーバ、スピーカ、ブザー、マイクロフォンなど音を発生し或いは受信する音響部を具備する携帯電子機器において、開口穴部分を含むパネル部分と音響部との間に少なくとも１つの絶縁薄膜開口穴を有する絶縁薄膜を介在させるとともに、絶縁薄膜開口穴は、パネル開口穴とパネル部分に関して水平方向に離隔して設けられている。これにより、音響部と音の出入り口となるパネル開口穴を含む配置寸法を小さくし、かつ簡易な構造にて、パネル開口穴からの静電気放電を効果的に防止できる。
【００１９】
また、絶縁薄膜開口穴の面積は、パネル開口穴の面積より大きくされているから、伝達される音の減衰を少なくできる。
【００２０】
また、音響部と絶縁薄膜との間及び絶縁薄膜とパネル部分との間にそれぞれ所定の間隔を設けて共鳴空間を形成するから、伝達される音の明瞭性を維持できる。また、絶縁薄膜とパネル部分との間の所定間隔をパネル部分の肉厚を、パネル部分の周囲の肉厚より薄くして形成しているから、音響部がセットされた時のパネル表面からの奥行きの増加を少なくすることができる。
【００２１】
また、ブザーのブザー開口穴の位置を従来のように考慮する必要がなく、パネル開口穴との関係でフィルム開口穴の位置などを決めればよいから、ブザーの開口穴に関わらず、本発明を適用することができる。
【発明を実施するための最良の形態】
【００２２】
以下、本発明の実施例を図面に基づいて説明する。以下、携帯電子機器として携帯電話機を例にして説明するが、本発明は携帯電話機に限らず、ＰＨＳ、ＰＤＡ等のように音響部を持った携帯電子機器に広く適用できる。また、音響部としてはレシーバを例に説明するが、レシーバに限ることなく、スピーカ、ブザー、マイクロフォンなど音を発生し或いは受信するものに適用できる。
【００２３】
本発明の携帯電子機器を、一般的な折り畳み型の携帯電話機１００の外観構造の一部を示す図１に適用した場合を例に説明する。
【００２４】
図２は、図１の携帯電話機の本発明におけるＡ−Ａ断面を示す図である。図３は、図２のＢ−Ｂ断面を示す図である。これらの図において、図４において説明した構成と同じものには同じ符号を付しており、再度の説明は省略する。
【００２５】
図２、図３において、携帯電話機１００の筐体のパネル１０にパネル開口穴１１が設けられている。筐体のパネル１０ａの内部に音響部であるレシーバ２０をその一部がパネル開口穴１１に対向するように配置する。図のように、この例では、レシーバ２０の面積よりもパネル開口穴１１の面積が小さい。
【００２６】
パネル開口穴１１を含むパネル部分１０ａとレシーバ２０との間に、絶縁薄膜としての合成樹脂フィルム（すなわち、絶縁フィルム）４０を介在させる。パネル部分１０ａは、パネル１０の内面側に設けられている壁１４に囲まれた部分、すなわち、レシーバ２０に対向する部分である。この合成樹脂フィルム４０には、図３のようにフィルム開口穴（絶縁薄膜開口穴）４１が設けられている。この合成樹脂フィルム４０としては、ポリエチレンテレフタレート（ＰＥＴ；Polyethylene terephthalate）が好適であり、その厚みは例えば０．２ｍｍである。
【００２７】
このレシーバ２０と携帯電話機１００の筐体の外部との間で、フィルム開口穴４１とパネル開口穴１１を順次通って、音が伝達される。
【００２８】
フィルム開口穴４１はパネル開口穴１１とパネル部分１０ａに関して水平方向に離隔して設けることによって、レシーバ２０とフィルム開口穴１１との間の絶縁距離を長くしている。これにより、フィルム開口穴１１からレシーバ２０への静電気放電に対する耐量が大きくなり、静電気による誤動作や故障の発生を低減できる。
【００２９】
このレシーバ２０とパネル開口穴１１との間の絶縁距離を最も長くするために、望ましくはフィルム開口穴４１はパネル開口穴１１から最も遠くなる位置、もしくはその位置の近傍に設けられることがよい。また、フィルム開口穴４１の面積はパネル開口穴１１の面積より大きくされていることが望ましい。
【００３０】
このように、パネル開口穴１１を含むパネル部分１０ａとレシーバ２０との間に、フィルム開口穴４１を設けた合成樹脂フィルム４０を介在させ、かつ、フィルム開口穴４１とパネル開口穴１１とをパネル部分１０ａに関して水平方向に離隔して設けることにより、レシーバ２０と音の出入り口となるパネル開口穴１１を含む配置寸法を小さくし、かつ簡易な構造にて、パネル開口穴１１からの静電気放電を効果的に防止できる。
【００３１】
また、フィルム開口穴４１の面積は、パネル開口穴１１の面積より大きくされているから、伝達される音の減衰を少なくできる。
【００３２】
図３の例では、フィルム開口穴４１は、円形の一部を弦で切り取った形状としている。この形状は、フィルム開口穴４１の面積を大きくとり、かつパネル開口穴１１の水平方向の距離を大きくできる。したがって、静電気放電の防止及び音の伝達により有効である。
【００３３】
フィルム開口穴４１の形状としては、図３の例に限らず、矩形、三角形、円形、楕円形など、任意の形状とすることができる。
【００３４】
レシーバ２０とパネル開口穴１１との間にフィルム開口穴４１を有する合成樹脂フィルム４０を配置するに伴って、合成樹脂フィルム４０とパネル部分１０ａとの間に第１所定間隔ｄ１を設けて、第１共鳴空間４２を形成する。また、レシーバ２０と合成樹脂フィルム４０との間に第２所定間隔ｄ２を設け、第２共鳴空間４３を形成する。これらの共鳴空間４２、４３を形成することによって、伝達される音の明瞭性や音量を確保する。
【００３５】
合成樹脂フィルム４０とパネル部分１０ａとの間の第１所定間隔ｄ１は、パネル部分１０ａの少なくとも中央部分、すなわちフィルム開口穴４１に対向する部分やパネル開口穴１１を含むパネル部分１０ａの肉厚を、パネル部分１０ａの周囲部分の肉厚より薄くして形成している。パネル１０の肉厚は、例えば１ｍｍであり、第１所定間隔ｄ１は例えば０．２ｍｍ程度である。したがって、パネル部分１０ａの中央部分の肉厚は０．８ｍｍ程度となる。
【００３６】
レシーバ２０と合成樹脂フィルム４０との間の第２所定間隔ｄ２は、パネル部分１０ａの周囲部分に対応するように、合成樹脂フィルム４０上に設けられたクッション部材３０によって形成している。このクッション部材３０は、例えばゴムなどの弾性部材が好適であり、その厚みは例えば０．５〜１ｍｍ程度の寸法に設定される。
【００３７】
壁１４は、レシーバ２０を挿入できるように、レシーバ２０の外形に合わせて円形に形成されている。その壁１４の一部に位置決め用の切り欠け部を設けている。
【００３８】
合成樹脂フィルム４０は、レシーバ２０の外形に合わせた円形部と、円形部の内部に形成したフィルム開口穴４１と、円形部の外縁の一部に設けられて壁１４の切り欠け部に嵌め込まれる突状部とを有している。
【００３９】
クッション部材３０は、パネル部分１０ａの中央部分に対応する中央部分が円形に欠けているドーナツ形部と、ドーナツ形部の外縁の一部に設けられて壁１４の切り欠け部に嵌め込まれる突状部とを有している。
【００４０】
そして、パネル１０の内面に立設されている壁１４の内側に、合成樹脂フィルム４０とクッション部材３０とをそれぞれの突状部が壁１４の切り欠け部に嵌り込むように順次積み重ね、その上からレシーバ２０を配置する。それぞれの部材は例えば接着剤などにより固定する。これにより、図２、図３に示されるような状態に組み立てられる。
【００４１】
以上の実施例では、絶縁薄膜として、合成樹脂フィルム４０を用いているが、これに限らず絶縁性を有する薄膜であればよい。例えば、パネル１０の材質と同じ材質の材料にて形成することができる。この絶縁薄膜は、パネル１０とは別体で形成してもよく、またパネル１０と一体に成型することもできる。この場合には、携帯電子機器１００の筐体を形成する際に、絶縁薄膜も一緒に形成できるし、同じ材料を用いるから、製造が容易になる。
【００４２】
また、パネル開口穴１１は、楕円形で１つだけ示しているが、デザイン上の視点などにしたがって、楕円形以外の任意の形状とすることができるし、また、１個に限らず２個以上のパネル開口穴を設けることとしてもよい。
【００４３】
さらに、上記実施例では、レシーバ２０が円形であることに応じて、壁１４、合成樹脂フィルム４０、クッション部材３０なども円形としている。しかし、レシーバ２０が円形以外の他の形状、例えば、矩形状、であれば、壁１４、合成樹脂フィルム４０、クッション部材３０などもレシーバの形状に合わせて例えば矩形状に構成される。この場合にも、パネル開口穴１１とフィルム開口穴４１との位置や寸法（大きさ）の関係とか、合成樹脂フィルム４０とパネル部分１０ａとの間の第１所定間隔ｄ１、レシーバ２０と合成樹脂フィルム４０との間の第２所定間隔ｄ２などは、上記実施例で説明したと同様にすることでよい。
【図面の簡単な説明】
【００４４】
【図１】折り畳み型の携帯電話機を開いた状態でその外観構造の一部を示す図
【図２】図１の本発明におけるパネル開口穴、レシーバを通るＡ−Ａ断面を示す図
【図３】本発明の図２のＢ−Ｂ断面を示す図
【図４】図１の従来のパネル開口穴、レシーバを通るＡ−Ａ断面を示す図
【符号の説明】
【００４５】
１００  携帯電話機
１０  パネル
１１  パネル開口穴
１０ａ  パネル部分
１２、１３  盲穴
１４  壁
２０  レシーバ
３０  クッション部材
４０  合成樹脂フィルム
４１  フィルム開口穴
４２  第１共鳴空間
４３  第２共鳴空間
【図１】
2005354596.tif 000003
【図２】
2005354596.tif 000004
【図３】
2005354596.tif 000005
【図４】
2005354596.tif 000006